(57)【要約】【課題】撮像素子の出力に基づいて被写体像を動画でスルー画表示するにあたって、消費電流の低減を図ったデジタルカメラを提供することを目的とする。【解決手段】被写体光束を受光する撮像素子ＣＣＤ２２１と、このＣＣＤ２２１から出力された被写体像信号に基づいて、被写体の動画像をスルー画表示する背面液晶モニタ２６と、ＣＣＤ２２１に入射する被写体光束を遮断するシャッタ２０３を具備し、シャッタ２０３はそれぞれ独立に動作可能な先幕と後幕を有するフォーカルプレーンシャッタを含み、スルー画表示においてはシャッタ先幕のみを開放すると共に、シャッタ後幕はこのシャッタ後幕保持用の電磁石に通電することなくメカ的に保持し、撮影動作の際には上記先幕の走行後に上記シャッタ後幕を走行させる。【選択図】  図２
2008011358.tif 000002
【特許請求の範囲】
【請求項１】
被写体光束を受光する撮像素子を含む撮像手段と、
この撮像手段から出力された被写体像信号に基づいて、被写体の動画像を表示装置に表示するスルー画表示手段と、
上記撮像素子に入射する被写体光束を遮断するシャッタ手段と、
を具備し、
上記シャッタ手段はそれぞれ独立に動作可能な先幕と後幕を有するフォーカルプレーンシャッタを含み、上記スルー画表示手段の動画表示の開始時に上記先幕を閉状態から開状態に移行させ、その後の上記動画表示の終了時に開状態から閉状態に移行させることを特徴とするデジタルカメラ。
【請求項２】
上記シャッタ手段は、上記先幕と後幕のチャージをそれぞれ独立に行うチャージ機構と、上記先幕と後幕をチャージ状態に保持する保持機構を具備していることを特徴とする請求項１に記載のデジタルカメラ。
【請求項３】
上記シャッタ手段は、上記スルー画表示手段の動画表示の開始時に上記先幕を走行させ、上記動画表示の終了時に上記先幕をチャージすることを特徴とする請求項２に記載のデジタルカメラ。
【請求項４】
上記保持機構は、１つのギアの回転で上記保持を順次解除可能であることを特徴とする請求項２に記載のデジタルカメラ。
【請求項５】
上記シャッタ手段は、撮影動作の際、露光秒時に応じて上記先幕と後幕の保持の解除のタイミングを変更することを特徴とする請求項２に記載のデジタルカメラ。
【請求項６】
上記シャッタ手段は、バルブ撮影においては、上記先幕と後幕の保持のタイミングを変更することを特徴とする請求項２に記載のデジタルカメラ。
【請求項７】
被写体光束を受光する撮像素子を含む撮像手段と、
この撮像素子から出力された被写体像信号に基づいて、被写体の動画像を表示装置に表示するスルー画表示手段と、
上記撮像素子に入射する被写体光束を遮断するシャッタ手段と、
を具備し、
上記シャッタ手段はそれぞれ独立に動作可能な先幕と後幕を有するフォーカルプレーンシャッタを含み、上記スルー画表示手段の動画表示においては上記先幕のみを開閉させ、撮影動作の際には上記先幕の走行後に上記後幕を走行させるようにしたことを特徴とするデジタルカメラ。
【請求項８】
被写体光束を受光する撮像素子を含む撮像手段と、
この撮像素子から出力された被写体像信号に基づいて、被写体の動画像を表示装置に表示するスルー画表示手段と、
上記撮像素子に入射する被写体光束を遮断するシャッタ手段と、
を具備し、
上記シャッタ手段は、上記スルー画表示手段の動画表示においてはシャッタ先幕のみを開放すると共に、シャッタ後幕はこのシャッタ後幕保持用の電磁石に通電することなくメカ的に保持し、撮影動作の際には上記先幕の走行後に上記シャッタ後幕を走行させるようにしたことを特徴とするデジタルカメラ。
【請求項９】
上記シャッタ手段は、カム機構を有し、上記シャッタ後幕は上記カム機構によって上記スルー画表示中は保持されることを特徴とする請求項８に記載のデジタルカメラ。
【請求項１０】
上記シャッタ手段は、長時間露光またはバルブ撮影の際には、上記メカ的な保持によって所定時間の間上記シャッタ後幕を保持するようにしたことを特徴とする請求項８に記載のデジタルカメラ。
【発明の詳細な説明】
【技術分野】
【０００１】
本発明は、スルー画表示機能を有するデジタルカメラに関し、詳しくは、撮像素子で取得した画像を動画像として表示装置に表示する所謂スルー画表示機能（ライブビュー表示機能、電子ファインダ機能とも言う）を有するデジタルカメラに関する。
【背景技術】
【０００２】
従来のデジタルカメラにおいては、被写体像の観察は、光学式ファインダにより行っていたが、最近は、光学式ファインダをなくし、代わりに被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能を有するデジタルカメラとして、例えば、特許文献１には、可動ミラーを撮影光路から退避させるとともにフォーカルプレーンシャッタを全開状態にして被写体像を撮像素子に導き、それによって得られた被写体像を連続的に液晶モニタに動画表示するようにしたデジタルカメラが開示されている。
【特許文献１】特開２００２−３６９０４２号公報
【発明の開示】
【発明が解決しようとする課題】
【０００４】
特許文献１に開示されているデジタルカメラでは、スルー画表示を行う場合には、シャッタ先幕および後幕を走行させた後、後幕のみを遮光位置から露光位置（シャッタ開口部から退避した位置）に移動させ、シャッタ後幕をマグネットによって吸着保持している。このようにしてシャッタ開放状態を作り出しているが、長時間スルー画表示を行う場合にはシャッタ後幕保持用マグネットによって吸着保持するための消費電流が増加し、電源電池が消耗するという問題がある。
【０００５】
本発明は、このような事情を鑑みてなされたものであり、スルー画表示にあたって消費電流の低減を図ったデジタルカメラを提供することを目的とする。
【課題を解決するための手段】
【０００６】
上記目的を達成するため第１の発明に係わるデジタルカメラは、被写体光束を受光する撮像素子を含む撮像手段と、この撮像手段から出力された被写体像信号に基づいて、被写体の動画像を表示装置に表示するスルー画表示手段と、上記撮像素子に入射する被写体光束を遮断するシャッタ手段を具備し、上記シャッタ手段はそれぞれ独立に動作可能な先幕と後幕を有するフォーカルプレーンシャッタを含み、上記スルー画表示手段の動画表示の開始時に上記先幕を閉状態から開状態に移行させ、その後の上記動画表示の終了時に開状態から閉状態に移行させる。
【０００７】
第２の発明に係わるデジタルカメラは、上記第１の発明において、上記シャッタ手段は、上記先幕と後幕のチャージをそれぞれ独立に行うチャージ機構と、上記先幕と後幕をチャージ状態に保持する保持機構を具備する。
また、第３の発明に係わるデジタルカメラは、上記第２の発明において、上記シャッタ手段は、上記スルー画表示手段の動画表示の開始時に上記先幕を走行させ、上記動画表示の終了時に上記先幕をチャージする。
さらに、第４の発明に係わるデジタルカメラは、上記第２の発明において、上記保持機構は、１つのギアの回転で上記保持を順次解除可能である。
さらに、第５の発明に係わるデジタルカメラは、上記第２の発明において、上記シャッタ手段は、撮影動作の際、露光秒時に応じて上記先幕と後幕の保持の解除のタイミングを変更する。
さらに、第６の発明に係わるデジタルカメラは、上記第２の発明において、上記シャッタ手段は、バルブ撮影においては、上記先幕と後幕の保持のタイミングを変更する。
【０００８】
上記目的を達成するため第７の発明に係わるデジタルカメラは、被写体光束を受光する撮像素子を含む撮像手段と、この撮像素子から出力された被写体像信号に基づいて、被写体の動画像を表示装置に表示するスルー画表示手段と、上記撮像素子に入射する被写体光束を遮断するシャッタ手段を具備し、上記シャッタ手段はそれぞれ独立に動作可能な先幕と後幕を有するフォーカルプレーンシャッタを含み、上記スルー画表示手段の動画表示においては上記先幕のみを開閉させ、撮影動作の際には上記先幕の走行後に上記後幕を走行させる。
【０００９】
上記目的を達成するため第８の発明に係わるデジタルカメラは、被写体光束を受光する撮像素子を含む撮像手段と、この撮像素子から出力された被写体像信号に基づいて、被写体の動画像を表示装置に表示するスルー画表示手段と、上記撮像素子に入射する被写体光束を遮断するシャッタ手段を具備し、上記シャッタ手段は、上記スルー画表示手段の動画表示においてはシャッタ先幕のみを開放すると共に、シャッタ後幕はこのシャッタ後幕保持用の電磁石に通電することなくメカ的に保持し、撮影動作の際には上記先幕の走行後に上記シャッタ後幕を走行させる。
【００１０】
第９の発明に係わるデジタルカメラは、上記第８の発明において、上記シャッタ手段は、カム機構を有し、上記シャッタ後幕は上記カム機構によって上記スルー画表示中は保持される。
また、第１０の発明に係わるデジタルカメラは、上記第８の発明において、上記シャッタ手段は、長時間露光またはバルブ撮影の際には、上記メカ的な保持によって所定時間の間上記シャッタ後幕を保持する。
【発明の効果】
【００１１】
本発明によれば、シャッタ手段はそれぞれ独立に動作可能な先幕と後幕を有するフォーカルプレーンシャッタを含み、スルー画表示手段の動画表示の開始時に先幕を閉状態から開状態に移行させ、その後の上記動画表示の終了時に開状態から閉状態に移行させるようにしたので、スルー画表示にあたって消費電流の低減を図ったデジタルカメラを提供することができる。
【発明を実施するための最良の形態】
【００１２】
以下、図面に従って本発明を適用したデジタルカメラを用いて好ましい第１実施形態について説明する。図１は、本発明の実施形態に係るデジタルカメラについて背面からみた外観斜視図である。このカメラは、カメラ本体２０と、交換レンズとしてのレンズ鏡筒１０とから構成されている。レンズ鏡筒１０はカメラ本体２０の前面のマウント開口部（不図示）に着脱自在となっている。マウント開口部を介してレンズ鏡筒１０内のレンズ１０１ａ、１０１ｂ等（図２参照）からなる撮影レンズによる被写体光束がカメラ本体２０内に導かれる。本実施形態では、レンズ鏡筒１０とカメラ本体２０は別体で構成され、通信接点３００（図２参照）を介して電気的に接続されている。また、カメラ本体２０に設けた着脱検知スイッチ２５９（図２参照）によって着脱状態を検出可能となっている。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図２参照）の出力に基づいて被写体像の画像データの取り込みを行う撮影動作を実行する。
【００１４】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタスピード優先撮影モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。パワースイッチレバー２３はデジタルカメラの電源のオン・オフを行うための操作部材であり、オン・オフの２つの位置に回動可能に構成されている。コントロールダイヤル２４は回転可能に構成された操作部材であり、情報表示画面等において、コントロールダイヤル２４の回転操作により所望の設定値やモード等を選択することができる。
【００１５】
カメラ本体２０の背面には、背面液晶モニタ２６、再生釦２７、メニュー釦２８、十字釦３０、OK釦３１、ファインダ接眼部３３が配置されている。背面液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。なお、カメラ本体２０に対して角度を自在に変更できるよう構成しても良い。ファインダ接眼部３３は、被写体像を観察するための接眼窓であり、内部には後述するファインダ内液晶モニタ２９が配置されており、このファインダ接眼部３３を通じて被写体像を観察可能となっている。再生釦２７は、撮影後に記録した被写体画像を背面液晶モニタ２６に表示させることを指示するための操作釦である。再生釦２７の操作に応じて、後述するＳＤＲＡＭ２３８、または記録媒体２４５にＪＰＥＧ等の圧縮モードで記憶されている被写体の画像データが伸張された後、背面液晶モニタ２６に表示される。
【００１６】
十字釦３０は背面液晶モニタ２６上で、Ｘ方向とＹ方向の２次元方向にカーソルの移動を指示するための操作部材であり、また、記録媒体２４５に記録された被写体像を表示するにあたって、再生画像の選択にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、背面液晶モニタ２６にメニュー画面が表示される。メニュー画面は複数の階層構造となっており、十字釦３０で各種項目を選択し、ＯＫ釦３１の操作により選択を決定する。
【００１７】
これらのレリーズ釦２１、パワースイッチレバー２３、再生釦２７、メニュー釦２８、十字釦３０、ＯＫ釦３１はいずれもオン・オフスイッチと連動している。これらのオン・オフスイッチに連動する操作釦と、モードダイヤル２２、コントロールダイヤル２４等の操作部材の操作に応じて発生する信号がＡＳＩＣ(Application Specific Integrated Circuit  特定用途向け集積回路)２６２内のスイッチ検出回路２５３（図２参照）に送信される。
【００１８】
次に、図２を用いて、デジタルカメラの電気系を主とする全体構成を説明する。  
レンズ鏡筒１０の内部には、焦点調節および焦点距離調節用のレンズ１０１ａ、１０１ｂと、開口量を調節するための絞り１０３が配置されている。レンズ１０１ａおよびレンズ１０１ｂは光学系駆動機構１０７によって駆動され、絞り１０３は絞り駆動機構１０９によって駆動されるよう接続されている。光学系駆動機構１０７、絞り駆動機構１０９はそれぞれレンズＣＰＵ１１１に接続されており、このレンズＣＰＵ１１１は通信接点３００を介してカメラ本体２０に接続されている。レンズＣＰＵ１１１はレンズ鏡筒１０内の制御を行うものであり、光学系駆動機構１０７を制御してピント合わせや、ズーム駆動を行うとともに、絞り駆動機構１０９を制御して絞り値制御を行う。
【００１９】
カメラ本体２０内のミラーボックス内には、レンズ１０１ａ、１０１ｂを通過した光束の一部を透過する特性を有する可動の反射ミラー（便宜上、可動ハーフミラーという）２０１が配置されている。この可動ハーフミラー２０１は、可動ミラー駆動機構２１５によって駆動され、回動軸２０１ａを中心に紙面垂直方向の軸に沿って回動可能である。可動ハーフミラー２０１がレンズ１０１ａ、１０１ｂの光路に対して４５度に傾いた位置（図２において実線の位置）にあるときには、被写体光束の一部（例えば、３０％）が反射され、カメラ本体２０の底部に設けられた測距／測光センサ２１７に導かれる。また被写体光束の残り（７０％）は、可動ハーフミラー２０１を透過してＣＣＤ２２１の方向に導かれる。そして、可動ハーフミラー２０１がレンズ１０１ａ、１０１ｂの光路と略平行で、被写体光束を遮らない退避位置（図２において二点鎖線の位置）にあるときには、被写体光束の全部がＣＣＤ２２１に導かれる。なお、本実施形態においては、可動ハーフミラー２０１の回動中心は、ミラーボックス内の下側であったが、これに限らず、上側でも良く、また左右のいずれかに紙面に対して平行な回動中心にしても勿論構わない。なお、本実施形態においては、ハーフミラーの反射率と透過率はそれぞれ３０％と７０％であるが、この比率に限られず、適宜変更できる。
【００２０】
カメラ本体２０内のミラーボックスの底部であって、可動ハーフミラー２０１によって反射された光束が導かれる位置に測距／測光センサ２１７が配置されている。この測距／測光センサ２１７は測距用のセンサと測光センサから構成されており、測光センサは被写体像を分割して測光する多分割測光素子で構成されている。また、測距センサはＴＴＬ位相差法によって測距するためのセンサである。測距／測光センサ２１７の出力は測距／測光処理回路２１９に送られる。測距／測光処理回路２１９は、測光センサの出力に基づいて評価測光値を出力し、また測距センサの出力に基づいて、レンズ１０１、１０１ｂによって結像される被写体像の焦点ズレ量を測定する。なお、測距センサと測光センサは別体に構成しても、一体に構成しても良い。
【００２１】
可動ハーフミラー２０１の後方であって、レンズ１０１ａ、１０１ｂの光軸上であって、撮影光路上には、露光時間制御およびＣＣＤ２２１の遮光用のフォーカルプレーンタイプのシャッタ２０３が配置されており、このシャッタ２０３はシャッタ駆動機構２１３によって駆動制御される。シャッタ２０３の後方には防塵フィルタ２０５が配置されており、これは、カメラ本体２０のマウント開口部や本体内部で発生した塵埃がＣＣＤ２２１や光学素子に付着して塵埃の影が被写体像に写しこまれ、見苦しくなることを防止するためのフィルタである。防塵フィルタ２０５の周縁部の全周または一部に圧電素子２０７が固着され、この圧電素子２０７は防塵フィルタ駆動回路２１１に接続され、この回路によって駆動される。圧電素子２０７は防塵フィルタ駆動回路２１１によって、防塵フィルタ２０５が所定の超音波で振動するよう駆動され、その振動を利用して防塵フィルタ２０５の前面に付着した塵埃を除去する。なお、ＣＣＤ等の撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００２２】
防塵フィルタ２０５の後方には、被写体光束から赤外光成分をカットするための赤外カットフィルタ２０９が配置され、その後方には被写体光束から高周波成分を取り除くための光学的ローバスフィルタ２１０が配置されている。そして、光学的ローパスフィルタ２１０の後方には、撮像素子としてのＣＣＤ２２１が配置されており、レンズ１０１ａ、１０１ｂによって結像される被写体像を電気信号に光電変換する。これらの防塵フィルタ２０５、赤外カットフィルタ２０９、光学的ローパスフィルタ２１０およびＣＣＤ２１１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide
Semiconductor）等の二次元撮像素子を使用できることはいうまでもない。
【００２３】
ＣＣＤ２２１は撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。撮像素子駆動回路２２３は画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、スルー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２４】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して背面液晶モニタ２６とファインダ内液晶モニタ２９（図中Ｆ内液晶モニタと略記）に接続される。ビデオ信号出力回路２３３は、ＳＤＲＡＭ２３８、または記録媒体２４５に記憶された画像データを、背面液晶モニタ２６および／またはファインダ内液晶モニタ２９に表示するためのビデオ信号に変換するための回路である。背面液晶モニタ２６はカメラ本体２０の背面に配置されるが、撮影者が観察できる位置であれば、背面に限らないし、また液晶に限らず他の表示装置でも構わない。ファインダ内液晶モニタ２９は、ファインダ接眼部３３を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部３３およびファインダ内液晶モニタ２９を省略することも可能である。
【００２５】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。上述の防塵フィルタ駆動回路２１１、シャッタ駆動機構２１３、可動ミラー駆動機構２１５、測距／測光処理回路２１９、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００２６】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、マイクロドライブ（登録商標）などの様なハードディスクユニットや無線通信ユニットを接続可能に構成してもよい。
【００２７】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２８】
カメラ本体２０やレンズ鏡筒１０のパワー供給の制御を行うためのパワースイッチレバー２３に連動してオン・オフするパワースイッチ２５７と、シャッタレリーズ釦２１の第1ストロークや第２ストロークを検出するスイッチ、再生モードを指示する再生釦２７に連動するスイッチ、背面液晶モニタ２６の画面でカーソルの動きを指示する十字釦３０に連動するスイッチ、撮影モードを指示するモードダイヤル２２に連動するスイッチ、選択された各モード等を決定するＯＫ釦３１に連動するＯＫスイッチ、着脱検知スイッチ２５９等の各種スイッチ２５５は、スイッチ検出回路２５３を介してデータバス２６１に接続されている。なお、レンズ鏡筒１０の着脱状態の検出は、機械的検知スイッチに限らず、例えば、フォトセンサを用いた光電検出スイッチでも良く、またレンズＣＰＵ１１１との通信による方法や、レンズ鏡筒１０と接する二接点の通電状態の検出など種々の方法がある。
【００２９】
次に、図３乃至図５を用いて、シャッタ２０３のシャッタ駆動機構２１３について説明する。先幕モータ４０１の駆動軸はギア４０３と噛合し、このギア４０３はカムギア４０５と噛合している。このカムギア４０５には先幕カム４０７が固設されており、先幕カム４０７には回転軸から半径方向の距離が変化するようにカム面が形成されている（図５（Ａ）を用いて後述する）。カメラ本体２０に回動軸が軸支された先幕チャージレバー４０９の一端はバネ４１３の引っ張り力によって先幕カム４０７に圧接し、他端は先幕レバー４１１の一端に係接している。先幕レバー４１１の他端はバネ４１５によって、図４において時計方向に付勢力が加えられている。先幕カム４０７の長円部分のカム面が先幕チャージレバー４０９と圧接すると、先幕レバー４１１は先幕マグネット４１７に吸着される位置となる。そして、先幕カム４０７の短円部分のカム面が先幕チャージレバー４０９と圧接する位置では、先幕マグネット４１７に通電されていなければ、先幕レバー４１１は先幕マグネット４１７から離間する位置となる。先幕レバー４１１にはシャッタユニット４００に設けられている公知のシャッタ先幕の駆動ピンに係合しており、先幕レバー４１１の動きに合わせて開口部を覆う位置と、開口部から退避した位置との間で移動する。
【００３０】
先幕シャッタ駆動機構と同様に、後幕シャッタ駆動機構も構成されている。後幕モータ４２１の駆動軸はギア４２３と噛合し、このギア４２３はカムギア４２５と噛合している。このカムギア４２５には後幕カム４２７が固設されており、後幕カム４２７には回転軸から半径方向の距離が変化するようにカム面が形成されている（図５（Ｂ）を用いて後述する）。カメラ本体２０に回動軸が軸支された後幕チャージレバー４２９の一端はバネ４３３の引っ張り力によって後幕カム４２７に圧接し、他端は後幕レバー４３１の一端に係接している。後幕レバー４３１の他端はバネ４３５によって、図４において時計方向に付勢力が加えられている。後幕カム４２７の長円部分のカム面が後幕チャージレバー４２９と圧接すると、後幕レバー４３１は後幕マグネット４３７に吸着される位置となる。そして、後幕カム４２７の短円部分のカム面が後幕チャージレバー４２９と圧接する位置では、後幕マグネット４３７に通電されていなければ、後幕レバー４３１は後幕マグネット４３７から離間する位置となる。後幕レバー４３１にはシャッタユニット４００に設けられている公知のシャッタ後幕の駆動ピンに係合しており、後幕レバー４３１の動きに合わせて開口部を覆う位置と、開口部から退避した位置との間で移動する。
【００３１】
このように、先幕シャッタと後幕シャッタの駆動機構は独立に構成されている。図５（Ａ）は先幕カム４０７の回転角度とそのカム面のリフト量の関係を示す図である。回動角が６０°から１８０°の間が先幕チャージ区間であり、この区間では先幕チャージレバー４０９が、図４において時計方向に回動し、先幕レバー４１１が反時計方向に回動する。そして、１８０°になると先幕カムの上死点（先幕カム４０７の長円部分）になり、先幕レバー４１１は先幕マグネット４１７と接する位置となる。先幕カム４０７が更に回動し、１８０°から２４０°の間（メカ的保持区間）では、カム面の半径方向の長さが変らず、先幕レバー４１１は先幕マグネット４１７と接する位置を保持する。先幕カム４０７が更に回動し、２４０°から２７０°の間（レバー退避区間）では先幕レバー４１１は時計方向に回動し、先幕マグネット４１７から離間する方向に移動する。そして、カムギア４０５または先幕チャージレバー４０９等の動きを検出可能な位置に、先幕ＰＩ（フォトインタラプタ）が配置されている。図５（Ａ）に示すように、先幕カム４０７が上死点１８０°に達すると、先幕ＰＩは立下り信号を出力し、下死点２７０°に達すると先幕ＰＩは立ち上がり信号を出力する。従って、先幕ＰＩは、メカ的保持区間に入ったときと、出るときにそれぞれ信号を出力する。必ずしも上死点、下死点を過ぎてＰＩ信号が変化する必要はなく、一般に上死点、下死点とＰＩ信号は機構上タイミングを調節するためにずらすことが知られている。
【００３２】
後幕シャッタの駆動機構の動作は、先幕シャッタの駆動機構と同様であるので、詳しい説明省略するが、図５（Ｂ）に示すように、後幕カム４２７の回転角度が６０°から１８０°の間が後幕チャージ区間、１８０°から２４０°がメカ的保持区間、２４０°から２７０°がレバー退避区間となっている。また後幕ＰＩがメカ的保持区間の最初と最後で、それぞれ立ち下がり信号、立ち上がり信号を出力する。なお、先幕と後幕の駆動手段は、このような構成に限らず、それぞれ独立して駆動可能であり、かつ先幕・後幕レバーを先幕・後幕マグネットに機械的に保持できる機構であれば、他の構成でも良い。
【００３３】
次に、本発明の第１実施形態におけるデジタルカメラの動作について図６乃至図１２に示すフローチャートを用いて説明する。図６に示すパワーオンリセットのフローに入ると、カメラ本体２０のパワースイッチ２５７がオンとなったかを判定する（Ｓ１）。判定の結果、パワースイッチ２５７がオフの場合には、ステップＳ３に進み、低消費電力の状態であるスリープ状態となる。このスリープ状態ではパワースイッチ２５７がオンとなった場合のみに割り込み処理を行い、ステップＳ５以下においてパワースイッチオンのための処理を行う。パワースイッチがオンとなるまでは、パワースイッチ割り込み処理以外の動作を停止し、電源電池の消耗を防止する。ステップＳ１において、パワースイッチ２５７がオンであった場合には、ステップＳ２に進み、着脱スイッチ２５９がオフか否かを判定する。前述したように着脱検知スイッチ２５９は、レンズ鏡筒１０がカメラ本体２０から外されると、オフとなるスイッチである。オフであった場合、すなわちレンズ鏡筒１０が離脱していた場合には、後述するステップＳ５１に進む。これは、レンズ鏡筒１０が離脱している状態でカメラ本体２０のパワースイッチレバー２３が操作され、パワーオンとなった場合に、レンズ離脱時と同様な処理をするためである。ステップＳ２において、着脱スイッチ２５９がオンであった場合には、ステップＳ５以下に進み、パワースイッチオンのための処理を行う。
【００３４】
ステップＳ５では、可動ハーフミラー２０１の復帰を行う。これは、パワースイッチ２５７がオフの状態では、可動ハーフミラー２０１は撮影光路から退避した位置にあるが（図２において二点鎖線の状態）、パワースイッチ２５７のオンに応じて、レンズ鏡筒１０からの被写体光束を測距／測光センサ２１７に導き、測光および測距を行うためである。次に、防塵フィルタ２０５における塵埃除去動作を行う（Ｓ７）。これは防塵フィルタ２０５に固着された圧電素子２０７に防塵フィルタ駆動回路２１１から駆動電圧を印加し、前述したように超音波によって塵埃等を除去する動作である。
【００３５】
続いて、シャッタ駆動回路２１３によってシャッタ２０３の開放動作を行う（Ｓ９）。このシャッタ開放動作は、シャッタ先幕のみを走行させるものであるが、詳しくは図８を用いて後述する。シャッタ開放動作によって、可動ハーフミラー２０１を透過した被写体光束は、シャッタ２０３によって遮られないので、ＣＣＤ２２１上に被写体像が結像される。このＣＣＤ２２１によって撮像された画像データを用いて背面液晶モニタ２６に被写体像を動画表示するスルー画表示の開始を指示する（Ｓ１１）。なお、スルー画表示動作の制御はこの開始指示を受けて画像処理回路２２７にて行われる。
【００３６】
次に、モードダイヤル２２等によって設定された撮影モードや、ＩＳＯ感度、マニュアル設定されたシャッタ速度や絞り値等の情報があればそれらの撮影条件の読み込みを行う（Ｓ１３）。そして、測距／測光センサ２１７によって被写体輝度を測光し、露光量を演算し、この露光量を用いて撮影モード・撮影条件に従ってシャッタ速度や絞り値等の露光制御値の演算を行う（Ｓ１５）。また、測光値や露光量等を用い、スルー画表示設定を行う（Ｓ１７）。このステップでは、ＣＣＤ２２１の駆動にあたっての電子シャッタスピードと感度の条件設定を行うために、ステップＳ１５で求めた測光・露光量の演算結果、もしくは前回の表示画像を用いて、背面液晶モニタ２６および／またはファインダ内液晶２９に適切な明るさ（明度）の像を表示するための演算と設定を行う。
【００３７】
次に、ステップＳ１９に進み、再生モードか否かの判定を行う。この再生モードは、再生釦２７が操作された際に、記録媒体２４５に記録された静止画データを読み出して背面液晶モニタ２６および／またはファインダ内液晶２９に表示するモードである。判定の結果、再生モードが設定された場合には、ステップＳ３１に進み、画像処理回路２２７に対してスルー画表示を停止するよう指示する。そのあと、シャッタ２０３の閉じ動作を行ってから（Ｓ３３）、記録媒体２４５に記録されている静止画データを読出し、圧縮伸張回路２３１にて画像データを伸張し、ビデオ信号出力回路２３３および液晶モニタ駆動回路２３５を介して、背面液晶モニタ２６および／またはファインダ内液晶２９に静止画を再生表示する（Ｓ３５）。なお、ステップＳ３３におけるシャッタ２０３の閉じ動作は先幕のみチャージを行うものであり、詳しくは図９を用いて説明する。再生動作中にレリーズ釦２１の半押し等、他の手動操作がなされた場合には、再生動作を終了してステップＳ７に戻り、前述の動作を繰り返す。
【００３８】
ステップＳ１９に戻り、再生モードが設定されていなかった場合には、ステップＳ２１に進み、メニューモードが設定されているか否かを判定する。これは、メニュー釦２８が操作され、メニューモードが設定されているか否かを判定する。判定の結果、メニューモードが設定されていた場合には、再生モードが設定されていた場合と同様に、スルー画停止指示が出力され（Ｓ３７）、ステップＳ３３と同様にシャッタ２０３に閉じを行う（Ｓ３９）。この後、メニュー設定動作を行う（Ｓ４１）。メニュー設定動作によって、ホワイトバランス、ＩＳＯ感度設定、ドライブモードの設定等、各種の設定動作を行うことができる。メニュー設定動作が終了すると、ステップＳ７に戻り、前述の動作を繰り返す。
【００３９】
ステップＳ２１に戻り、判定の結果、メニューモードが設定されていなかった場合には、ステップＳ２３に進み、レリーズ釦２１が半押しされたか、すなわち１Ｒスイッチがオンか否かの判定を行う。判定の結果、１Ｒがオンであった場合には、ステップＳ４３に進み、撮影準備と撮影を行う撮影動作のサブルーチンを実行する。このサブルーチンの詳細は図７を用いて後述する。撮影動作のサブルーチンが終了すると、ステップＳ７に戻り、前述のステップを繰り返す。
【００４０】
ステップＳ２３に戻り、判定の結果、１Ｒスイッチがオフであった場合には、ステップＳ２５に進み、ステップＳ２と同様に、着脱検知スイッチ２５９がオフか否かを判定する。レンズ鏡筒１０が離脱されると、再生モードにおけるステップＳ３１およびＳ３３と同様に、スルー画停止指示を出力し（Ｓ４５）、ステップＳ３３と同様にシャッタ２０３の閉じ動作を行う（Ｓ４７）。この後、可動ハーフミラー２０１の退避動作を行う（Ｓ４９）。
【００４１】
可動ハーフミラー２０１の退避が終わると、またはステップＳ２で着脱検知スイッチ２５９がオフであると判定された場合（すなわち、レンズ鏡筒１０が離脱している場合）には、ステップＳ５１に進み、着脱検知スイッチ２５９がオンか否かを判定する。ステップＳ２５において、レンズ鏡筒１０が離脱されたことを検出した後、レンズ鏡筒１０が再び装着されたか否かを判定するものである。判定の結果、装着されていた場合には、ステップＳ５５に進み、可動ハーフミラー２０１を復帰させる。可動ハーフミラー２０１の復帰が終わると、ステップＳ７に戻り、前述のステップを繰り返す。
【００４２】
ステップＳ５１に戻り、着脱検知スイッチ２５９がオフであった場合には、ステップＳ５３に進み、パワースイッチ２５７がオンか否かを判定する。レンズ鏡筒１０が離脱され、パワースイッチ２５７がオンの場合には、各種操作釦が操作されても、マウント開口部が開放のままなので、誤動作防止の観点から、カメラ動作を行わないようにしている。そのため、ステップＳ５１にてレンズ鏡筒１０の装着状態と、ステップＳ５３においてパワースイッチレバー２３の操作状態の判定を繰り返し行う待機状態となる。ステップＳ５３において、パワースイッチ２５７がオフと判定されると、ステップＳ３に戻り、スリープ状態になる。なお、ステップＳ５１において、レンズ鏡筒１０が離脱されたままであることを検出した場合に、ステップＳ５３の判定を省略して、ステップＳ３に進みスリープ状態としてもよく、また、ステップＳ９に進み、各種操作釦による操作に基づく動作を行う等の変形は可能である。
【００４３】
ステップＳ２５に戻り、判定の結果、着脱検知スイッチ２５９がオン、すなわちレンズ鏡筒１０がカメラ本体に装着されていた場合には、ステップＳ２７に進み、パワースイッチ２５７がオンか否かを判定する。判定の結果、オンであった場合には、ステップＳ１３に戻り、前述のステップを繰り返す。ステップＳ１１において、スルー画表示が開始された後、ステップＳ１９以降において各種操作釦等が操作されない限り、可動ハーフミラー２０１を透過した被写体光束は、シャッタ２０３によって妨げられないので、ＣＣＤ２２１上に被写体像が結像し、このＣＣＤ２２１によって撮像された画像データが背面液晶モニタ２６および／またはファインダ内液晶２９に動画像としてスルー画表示される。ステップＳ２７において、パワースイッチ２５７がオフと判定された場合には、ステップＳ３１、Ｓ３３と同様に、画像処理回路２２７に対してスルー画表示を停止するよう指示し（Ｓ２８）、ステップＳ３３と同様にシャッタ２０３の閉じ動作を行う（Ｓ２９）。この後、前述のステップＳ４９と同様にして、可動ハーフミラー２０１の退避動作を行った後（Ｓ３０）、ステップＳ３に戻りスリープ状態となる。
【００４４】
このように、本実施形態においては、スルー画表示可能なデジタルカメラにおいて、パワーオン時に可動ハーフミラー２０１を撮影光路中に介挿し、被写体光束の一部を測距／測光センサ２１７に反射させているので、パワーオン時に直ちに測光や測距を行うことができ便利である。
【００４５】
また、パワーオンリセットのルーチンにおいては、レンズ鏡筒１０が離脱したことを着脱検知スイッチ２５９によって検出すると（Ｓ２５）、可動ハーフミラー２０１を撮影光路から退避させ、またレンズ鏡筒１０が再装着されたことを着脱検知スイッチ２５９によって検出すると（Ｓ５１）、可動ハーフミラー２０１を撮影光路中に介挿させる動作を行っている。このため、レンズ鏡筒１０が外され、マウント部が開口状態となった際に、ユーザ等がマウント開口部からクリーニング用具等を挿入しようとしても、可動ハーフミラー２０１は退避状態となっているので、可動ハーフミラー２０１が破損したり、指紋をつけられたりするおそれがない。
【００４６】
さらに、パワーオフ時にレンズ鏡筒１０が外された場合にも、可動ハーフミラー２０１は退避状態となっているので、同様に、ユーザ等によって可動ハーフミラー２０１が破損されたり、指紋を付着される等のおそれがない。カメラのパワーオン時には、可動ハーフミラー２０１を撮影光路中に介挿しているので、測距動作や測光動作をスルー画表示動作と並行して行うことができる。
【００４７】
次に、ステップＳ４３の撮影動作のサブルーチンについて図７を用いて説明する。このサブルーチンは前述したように、レリーズ釦２１の半押しがなされると実行される。まず、測距・自動焦点調節を行う（Ｓ７１）。これは、可動ハーフミラー２０１が撮影光路中に介挿され、被写体光束の一部が測距／測光センサ２１７に反射しているので、この被写体光束を用いて測距／測光処理回路２１９やボディＣＰＵ２２９等はＴＴＬ位相差法によってレンズ１０１ａ、１０１ｂの焦点ズレ量を検出し、この検出された焦点ズレ量に基づいて、レンズＣＰＵ１１１を介して、光学系駆動機構１０７によってピント位置にレンズ１０１ａ、１０１ｂを駆動する。
【００４８】
次に、測光／露光量演算を行う（Ｓ７３）。これも可動ハーフミラー２０１によって反射された被写体光束を測距／測光センサ２１７が受光し、測距／測光処理回路２１９によって処理することにより、被写体輝度ＢＶを検出する。ボディＣＰＵ２２９は、この被写体輝度ＢＶを用いて露光量ＥＶを求め、さらに撮影モード等に従ってシャッタ速度や絞り等の露出条件を求める。
【００４９】
次に、レリーズ釦２１の全押し操作がなされているか、すなわち２Ｒがオンか否かについて判定する（Ｓ７５）。判定の結果、オフであった場合には、ステップＳ７７に進み、１Ｒがオンか否かの判定を行う。レリーズ釦２１の半押し動作で、この撮影動作のサブルーチンにジャンプしてきて、レリーズ釦２１が半押しのままの場合には、このステップＳ７５とＳ７７で繰り返し判定を行う待機状態となる。レリーズ釦２１から手が離れ、１Ｒがオフとなると、パワーオンリセットのステップＳ７に戻る。
【００５０】
ステップＳ７５に戻り、判定の結果、２Ｒスイッチがオンであった場合、すなわちレリーズ釦２１が全押しされた場合には、静止画像取得のための撮像動作に移る。まず、ステップＳ７８に進み、ステップＳ３３と同様に、シャッタ閉じ動作を行う。これは撮影動作を行うにあたって、先幕のチャージ動作を行うことによって、シャッタの初期化を図っている。次に、ステップＳ７９において、画像処理回路２２７に対してスルー画停止の指示を出力する。これは静止画像取得にあたって、可動ハーフミラー２０１の退避位置への移動動作、シャッタ２０３の開閉動作等により、ＣＣＤ２２１に入射する被写体像に乱れが生じ、背面液晶モニタ２６および／またはファインダ内液晶２９においてスルー画像が見苦しくなることを防止するためである。続いて、ステップＳ４９と同様にして可動ハーフミラー２０１の退避動作を行う（Ｓ８１）。
【００５１】
続いて、設定絞り値またはＳ７３で演算された絞り値まで絞り１０３の絞込み動作を、レンズＣＰＵ１１１を介し絞り駆動機構１０９によって行う（Ｓ８３）。絞込み動作が終わると、次にＣＣＤ２２１による露光動作を行う（Ｓ８５）。この露光動作の詳細については、図１０乃至図１２を用いて後述するが、大略、ステップＳ７８においてシャッタ先幕を初期位置に移動させてあるので（つまりチャージ状態）、露光動作としては、先幕走行させてから露光時間経過後に後幕を走行させている。
【００５２】
露光動作が終わると、絞り１０３の開放動作の指示をレンズＣＰＵ１１１に出力する（Ｓ８９）。また、ＣＣＤ２２１で電荷蓄積された画像信号の読み出しを行い（Ｓ９１）、画像処理回路２２７等にて画像処理を行う（Ｓ９３）。圧縮伸張回路２３１において信号圧縮等の処理を行った後、記録媒体２４５に画像データの記録を行う（Ｓ９５）。画像データの記録が終わると、ステップＳ９７において、１Ｒスイッチがオンであるか、すなわちレリーズ釦２１が半押し状態であるか否かを判定する。１Ｒスイッチがオフとなると、ステップＳ９７に進み、ステップＳ５５と同様にして、可動ハーフミラー２０１の復帰動作を行う。復帰動作が終わると、パワーオンリセットのルーチンに戻る。
【００５３】
本実施形態の撮影動作のサブルーチンにおいては、静止画像を取得する撮像動作の際に可動ハーフミラー２０１を退避させている。このため可動ハーフミラー２０１における透過光量の減少をなくし、静止画像取得にあたって被写体光量を増加させることができ、高速シャッタ速度での撮影が可能となる。さらに、撮像動作が終わると、ステップＳ９９において、可動ハーフミラー２０１を復帰させているので、撮影後、レリーズ釦２１が再び半押しされたときには、直ちに測光や測距をスルー画表示と並行して行うことができる。
【００５４】
次に、ステップＳ９（図６）のシャッタ開のサブルーチンについて、図８を用いて説明する。このサブルーチンを行うときには、図５（Ａ）の先幕カムのリフト量はメカ的保持区間にあり、すなわち先幕はチャージ状態にある。この状態で、先幕モータ４０１がオンすると（Ｓ１０１）、先幕マグネット４１７には通電されていないので、先幕カム４０７のレバー退避区間とバネ４１５の付勢力によって、先幕レバー４１１は先幕マグネット４１７から退避する方向に回動する。
【００５５】
先幕モータ４０１のオンに引き続いて、先幕ＰＩの出力を入力し（Ｓ１０３）、立ち上がり信号を検出すると（Ｓ１０５）、先幕モータ４０１をオフし停止させる。すなわち、図５（Ａ）に示すように、先幕ＰＩの立ち上がり信号は、レバー退避区間が終了したことを示している。ステップＳ９の実行時には、シャッタ後幕は後幕レバー４３１がメカ的保持区間にあるので、後幕マグネット４３７に通電されていなくても、後幕チャージ状態を保持しており、シャッタ開口部から退避した状態にある。そして、ステップＳ１０５において、先幕レバー４１１が退避しシャッタ先幕が走行終了したことから、シャッタ開口部は完全に開口状態となり、被写体光束はＣＣＤ２２１上に入射する。ステップＳ１０７で先幕モータ４０１がオフすると、もとのルーチンに戻る。
【００５６】
次に、ステップＳ３３、Ｓ３９、Ｓ４２、Ｓ４７、Ｓ２９（図６）のシャッタ閉のサブルーチンについて図９を用いて説明する。このシャッタ閉のサブルーチンの開始時は、シャッタ先幕が走行終了した状態であり、図５（Ａ）では先幕カムリフト量が下死点（２７０°〜６０°）にある。このサブルーチンに入ると、先幕モータ４０１をオンし（Ｓ１１１）、先幕カム４０７の先幕チャージ区間によって先幕レバー４１１を先幕マグネット４１７に吸着する方向に回動させる。この区間では先幕レバー４１１が回動することにより、シャッタ先幕は次第にシャッタ開口部を遮光する位置に移動していく。
【００５７】
次に、先幕ＰＩの出力を入力し（Ｓ１１３）、立ち下がり信号を検出すると（Ｓ１１５）、先幕モータ４０１をオフし停止させる。すなわち、図５（Ａ）に示すように、先幕ＰＩの立ち下がり信号は、メカ的保持区間に達したことを示しており、この状態では先幕マグネット４１７に通電を行わなくても、先幕レバー４１１は先幕マグネット４１７の吸着位置あり（通電されていないと吸着されない）、先幕はシャッタ開口部を完全に遮光する。このため、被写体光束はＣＣＤ２２１上に入射しなくなる。ステップＳ１１７で先幕モータ４０１がオフすると、もとのルーチンに戻る。
【００５８】
本実施形態においては、シャッタ後幕とは独立して、シャッタ先幕のみを走行させ、またチャージ動作を行うことができる。またシャッタ後幕も同様にシャッタ先幕と独立して走行やチャージが可能である。さらに、それぞれのシャッタ幕の状態を保持するのに、シャッタマグネットを通電する必要がない。すなわち、チャージ状態をメカ的保持区間で機械的に保持するようにしている。このため、スルー画表示を行う際に、シャッタ先幕はシャッタ先幕走行後の状態で保持し（図５（Ａ）の先幕リフト量では、上死点（１８０°〜２４０°）の範囲）、シャッタ後幕はメカ的保持区間（図５（Ｂ）の後幕リフト量では、１８０°〜２４０°の範囲）で後幕チャージ状態を保持することができる。この結果、スルー画表示の際に、シャッタ開放状態を保持するために、後幕マグネットに通電し続けることが不要となり、電源電池の消耗を防止することができる。
【００５９】
次に、ステップＳ８５（図７）の露光動作のサブルーチンについて図１０乃至図１２を用いて説明する。このサブルーチンに入ると、まずレリーズ釦２１が全押しされている間、露光を行うバルブ撮影か否かの判定を行う（Ｓ１２１）。この判定は、メニューモードのメニュー設定動作（Ｓ４１）においてバルブ撮影が選択されたか否かによって行う。バルブ撮影が設定されていた場合には、図１２のステップＳ２３１にジャンプする。バルブ撮影が設定されていなかった場合には、ステップＳ１２３に進み、露光時間が８秒以上か否かを判定する。これはマニュアル等で８秒以上の長時間露光が設定されたか、ステップＳ７３における露光量演算の結果、８秒以上の長時間露光秒時が設定されたかを判定する。８秒以上の露光時間が設定されていた場合には、図１１のステップＳ１８１にジャンプする。なお、本実施形態においては、８秒以上か否かで判定するが、これに限らず、２秒、４秒等の秒時でも良く、概ね１秒を超える露光秒時であれば良い。
【００６０】
ステップＳ１２３において、８秒以上の長時間露光が設定されていなかった場合には、ステップＳ１２５に進み、先幕マグネット４１７に通電し、これによって先幕マグネット４１７は先幕レバー４１１を吸着する。続いて先幕モータ４０１をオンし（Ｓ１２７）、先幕カム４０７を回動させ、先幕ＰＩの信号を入力し（Ｓ１２９）、先幕ＰＩの立ち上がり信号を検出したら（Ｓ１３１）、先幕モータ４０１をオフし、回転を停止する（Ｓ１３３）。この一連の動作によって、先幕レバー４１１は先幕マグネット４１７によって吸着保持され、先幕チャージレバー４０９は先幕レバー４１１から離間した状態となっている。この結果、先幕マグネット４１７の通電を解除すると、先幕レバー４１１は図４において時計方向に回動し、シャッタ先幕は走行可能状態となる。
【００６１】
続いて、後幕についても先幕と同様に後幕レバー４３１の吸着保持動作を行う。まず、後幕マグネット４３７に通電し（Ｓ１３５）、これによって後幕マグネット４３７は後幕レバー４３１を吸着する。続いて後幕モータ４２１をオンし（Ｓ１３７）、後幕カム４２７を回動させ、後幕ＰＩの信号を入力し（Ｓ１３９）、後幕ＰＩの立ち上がり信号を検出したら（Ｓ１４１）、後幕モータ４２１をオフし、回転を停止する（Ｓ１４３）。この一連の動作によって、後幕レバー４３１は後幕マグネット４３７によって吸着保持されているが、後幕チャージレバー４２９は後幕レバー４３１から離間した状態となっている。この結果、後幕マグネット４３７の通電を解除すると、後幕レバー４３１は図４において時計方向に回動し、シャッタ後幕は走行可能状態となる。なお、本実施形態においては、先幕レバー４１１の吸着保持動作が完了した後に後幕レバー４３１の吸着保持動作を開始しているが、両者を並行して実行するようにしても勿論構わない。
【００６２】
続いて、露出時間計時タイマをスタートさせると共に（Ｓ１４５）、先幕マグネット４１７の通電を解除し、シャッタ先幕の走行を開始させる（Ｓ１４７）。そして、露出時間計時タイマが計時完了したか判定し（Ｓ１４９）、すなわちマニュアル設定された露光秒時または露光量演算によって設定された露光時間が経過したかを判定する。設定時間の計時動作が終了した場合には、露出時間計時タイマを停止し（Ｓ１５１）、後幕マグネット４３７の通電を解除し（Ｓ１５３）、シャッタ後幕の走行を開始させる。後幕走行完了に必要な時間（例えば１０ｍＳ程度）待ち（Ｓ１５５）、この時間が経過したらシャッタ先幕のチャージ動作（閉じ動作）を開始する。
【００６３】
シャッタ先幕のチャージ動作は図９に示したフローと同じであるが、まず先幕モータ４０１をオンし、回転を開始させる（Ｓ１５７）。続いて、先幕ＰＩの出力を入力し（Ｓ１５９）、先幕ＰＩの立下り信号を検出したら（Ｓ１６１）、先幕チャージが完了したので、先幕モータ４０１をオフする（Ｓ１６３）。続いて、シャッタ先幕と同様に、シャッタ後幕のチャージ動作を行う。まず、シャッタ後幕モータ４２１をオンし、回転を開始させる（Ｓ１６５）。続いて後幕ＰＩの出力を入力し（Ｓ１６７）、後幕ＰＩの立下り信号を検出したら（Ｓ１６９）、後幕モータ４２１をオフする。ステップＳ１５７からＳ１７１によって、シャッタ先幕および後幕のチャージ動作が完了する。本実施形態においては、先幕シャッタチャージが完了してから後幕シャッタチャージを行っていたが、両者を並行して行っても勿論構わない。
【００６４】
続いて、図１１を用いて、長時間露光秒時について説明する。ステップＳ１２３において、露光時間が８秒以上であると判定された場合には、ステップＳ１８１にジャンプし、このステップにおいて、先幕マグネット４１７に通電する。前述したように、露光動作に入る前にステップＳ４２において、シャッタ先幕のチャージ動作を完了しているので、先幕マグネット４１７に通電することにより先幕レバー４１１が吸着保持される。この後、先幕レバー４１１と係接している先幕チャージレバー４０９の退避動作を、ステップＳ１８３からＳ１８９において行う。すなわち、先幕モータ４０１をオンし（Ｓ１８３）、回転駆動を開始させ、先幕ＰＩの出力を入力し（Ｓ１８５）、先幕ＰＩの立ち上がり信号を入力したら（Ｓ１８７）、先幕モータ４０１をオフさせる（Ｓ１８９）。これによって、先幕マグネット４１７の通電が解除されるとシャッタ先幕の走行開始が可能となる。
【００６５】
次に、露出時間から１秒を減算した時間を演算し、この時間を計時タイマにセットして、タイマをスタートさせ（Ｓ１９１）、その後、直ちに先幕マグネット４１７の通電を解除してシャッタ先幕の走行を開始させる（Ｓ１９３）。図１０に示した短時間の露出時間での撮影動作においては、先幕モータ４０１をオンさせて先幕チャージレバー４０９を退避させた後（Ｓ１２７〜Ｓ１３３）、後幕モータ４２１をオンさせ後幕チャージレバー４２９の退避動作を行っていた。図１１に示す長時間露光では、後幕チャージレバー４２９を退避させて後幕走行可能となるまでに必要な時間（本実施形態においては１秒）を考慮し、先にシャッタ先幕を走行させてから、シャッタ後幕開始前に後幕チャージレバー４２９の退避動作を行うようにしている。
【００６６】
ステップＳ１９５において、計時タイマの計時動作が完了すると、続いて計時タイマにて１秒間の計時動作をスタートさせる。その後直ちに後幕マグネット４１７に通電し、後幕レバー４３１を吸着保持させる。この後、後幕レバー４３１と係接している後幕チャージレバー４２９の退避動作を、ステップＳ２０１からＳ２０７において実行する。すなわち、後幕モータ４２１をオンし（Ｓ２０１）、回転駆動を開始させ、後幕ＰＩの出力を入力し（Ｓ２０３）、後幕ＰＩの立ち上がり信号を入力したら（Ｓ２０５）、後幕モータ４２１をオフさせる（Ｓ２０７）。これによって、後幕マグネット４３７の通電が解除されるとシャッタ後幕の走行開始が可能となる。この後、１秒間を計時していた計時タイマの計時動作完了を検出したら（Ｓ２０９）、計時タイマをストップし（Ｓ２１１）、図１０のステップＳ１５３にジャンプし、シャッタ後幕の走行開始等の動作を行う。
【００６７】
このように、本実施形態における長時間露光秒での撮影動作は、先にシャッタ先幕の走行を開始させ、走行後に後幕カム４２７と係接する後幕チャージレバー４２９の退避動作を行うようにしている。このため先幕走行開始までのタイムラグを短くすることができる。また、後幕のメカ的保持区間（図５（Ｂ）参照）を利用し、後幕保持のための後幕マグネット４１７に吸着保持するための電流の通電時間を短くすることができる。このため、長時間露光となった場合でも、電源電池の消耗を抑えることができる。なお、本実施形態においては、後幕チャージレバー４２９の退避時間等の後幕走行準備を１秒間としてステップＳ１９１において、１秒間を減算したが、この時間はシャッタ駆動機構によって最低限必要とする時間以上であれば良い。
【００６８】
次に、図１２を用いて、バルブ秒時について説明する。ステップＳ１２１において、バルブ撮影であると判定された場合には、ステップＳ２３１にジャンプし、このステップにおいて、先幕マグネット４１７に通電する。前述したように、露光動作に入る前にステップＳ４２において、シャッタ先幕のチャージ動作を完了しているので、先幕マグネット４１７に通電することにより先幕レバー４１１が吸着保持される。この後、先幕レバー４１１と係接している先幕チャージレバー４０９の退避動作を、ステップＳ２３３からＳ２３９において行うが、この動作は前述のステップＳ１８３からＳ１８９と同様であるので、説明は省略する。これによって、先幕マグネット４１７の通電が解除されるとシャッタ先幕の走行開始が可能となる。
【００６９】
続いて、先幕マグネット４１７の通電を解除して（Ｓ２４５）、シャッタ先幕の走行を開始させる。図１０の短時間露光秒時や図１１の長時間露光秒の撮影動作においては、露光時間が決められているが、バルブ撮影においては、レリーズ釦２１が全押しされている時間の間のみ、シャッタ開放状態としている。ステップＳ２４３において、レリーズ釦２１の２Ｒがオフ、すなわち、撮影終了を検出したら、シャッタの閉じ動作を開始する。シャッタの閉じ動作にあたって、まず、後幕マグネット４３７に通電し、後幕レバー４３１の吸着保持を行う。後幕レバー４３１に係接している後幕チャージレバー４２９の退避動作を、ステップＳ２４７からＳ２５３において行う。この退避動作はステップＳ２０１からＳ２０７と同様であるので、説明は省略する。ステップＳ２５３において、後幕モータ４２１をオフさせると、図１０のステップ１５３にジャンプし、シャッタ後幕の走行開始等の動作を行う。
【００７０】
このように、本実施形態のバルブ撮影においては、先にシャッタ先幕の走行を開始させ、撮影終了である２Ｒスイッチがオンとなってから、後幕カム４２７と係接する後幕チャージレバー４２９の退避動作を行い、シャッタ後幕の走行を行うようにしている。また、後幕のメカ的保持区間（図５（Ｂ）参照）を利用し、後幕保持のための後幕マグネット４１７を吸着保持するための電流の通電時間を短くすることができる。このため、長時間のバルブ撮影でも、電源電池の消耗を抑えることができる。なお、本実施形態においては、２Ｒスイッチがオフとなってから、後幕チャージレバー４２９の退避動作を行っているので、若干、後幕走行開始までに時間を要するが、バルブ撮影自体は長時間に亘る露光秒時であることから、露光精度上、大きな問題とはならない。
【００７１】
次に、本発明の第２実施形態について、図１３乃至図２０を用いて説明する。本発明の第１実施形態は、先幕モータ４０１と後幕モータ４２１を別々に設け、シャッタ先幕とシャッタ後幕の駆動機構を別々に構成していたが、第２実施形態は単一のシャッタモータ４５１を設け、この駆動力を利用したシャッタ先幕および後幕の駆動機構を構成している。この第２実施形態は、図１に示す背面からみた外観斜視図、図２に示す電気系を主とする全体構成、図６に示すパワーオンリセットのフロー、および図７に示す撮影動作のフローは同一であるので、相違点のみ説明する。
【００７２】
まず、図１３乃至図１５を用いて、シャッタ２０３のシャッタ駆動機構２１３について説明する。シャッタモータ４５１の駆動軸はギア４５２（図１４では省略）を介してカムギア４５３と噛合している。このカムギア４５３には先幕カム４５５が固設されており、先幕カム４５５には回転軸から半径方向の距離が変化するようにカム面が形成されている（図１５を用いて後述する）。カメラ本体２０に回動軸が軸支された先幕チャージレバー４７１の一端はバネ４７７の引っ張り力によって先幕カム４５５に圧接し、他端は先幕レバー４７３の一端に係接している。先幕レバー４７３の他端はバネ４７９によって、図１４において時計方向に付勢力が加えられている。先幕カム４５５の長円部分のカム面が先幕チャージレバー４７１と圧接すると、先幕レバー４７３は先幕マグネット４７５に吸着される位置となる。そして、先幕カム４５５の短円部分のカム面が先幕チャージレバー４７１と圧接する位置では、先幕マグネット４７５に通電されていなければ、先幕レバー４７３は先幕マグネット４７５から離間する位置となる。先幕レバー４７３にはシャッタユニット４００に設けられている公知のシャッタ先幕の駆動ピンに係合しており、先幕レバー４７３の動きに合わせて開口部を覆う位置と、開口部から退避した位置との間で移動する。
【００７３】
前述のカムギア４５３は、ギア４５７を介してカムギア４５９に噛合している。このカムギア４５９には後幕カム４６１が固設されており、後幕カム４６１には回転軸から半径方向の距離が変化するようにカム面が形成されている（図１５を用いて後述する）。カメラ本体２０に回動軸が軸支された後幕チャージレバー４８１の一端はバネ４８７の引っ張り力によって後幕カム４６１に圧接し、他端は後幕レバー４８３の一端に係接している。後幕レバー４８３の他端はバネ４８９によって、図１４において時計方向に付勢力が加えられている。後幕カム４６１の長円部分のカム面が後幕チャージレバー４８１と圧接すると、後幕レバー４８３は後幕マグネット４８５に吸着される位置となる。そして、後幕カム４６１の短円部分のカム面が後幕チャージレバー４８１と圧接する位置では、後幕マグネット４８５に通電されていなければ、後幕レバー４７３は後幕マグネット４８５から離間する位置となる。後幕レバー４８３にはシャッタユニット４００に設けられている公知のシャッタ後幕の駆動ピンに係合しており、後幕レバー４８３の動きに合わせて開口部を覆う位置と、開口部から退避した位置との間で移動する。
【００７４】
このように、先幕シャッタと後幕シャッタの駆動機構は構成されている。図１５は先幕カム４５５と後幕カム４６１の回転角度とそのカム面のリフト量の関係を示す図である。先幕カム４５５の回動角が６０°から１８０°の間が先幕チャージ区間であり、この区間では先幕チャージレバー４７１が、図１４において時計方向に回動し、先幕レバー４７３が反時計方向に回動する。そして、上死点１８０°になると（長円部分）、先幕レバー４７３は先幕マグネット４７５と接する位置となる。先幕カム４５５が更に回動し、１８０°から２４０°の間（メカ的保持区間）では、カム面の半径方向の長さが変らず、先幕レバー４７３は先幕マグネット４７５と接する位置を保持する。先幕カム４５５が更に回動し、２４０°から２７０°の間（レバー退避区間）では先幕レバー４７３は時計方向に回動し、先幕マグネット４７５から離間する方向に移動する。そして、カムギア４５３または先幕チャージレバー４７１等の動きを検出可能な位置に、先幕ＰＩ（フォトインタラプタ）が配置されている。図１５に示すように、先幕カム４５５が上死点をわずかに過ぎた辺り（１９０°）に達すると、先幕ＰＩは立下り信号を出力し、下死点２７０°に達すると先幕ＰＩは立ち上がり信号を出力する。従って、先幕ＰＩは、メカ的保持区間に入ったときと、出るときにそれぞれ信号を出力する。
【００７５】
また、後幕カム４５５の回動角が６０°から１８０°の間が後幕チャージ区間であり、先幕の場合と同様に動作する。そして、上死点１８０°になると（長円部分）、後幕レバー４８３は後幕マグネット４８５と接する位置となる。後幕カム４６１が更に回動し、１８０°から３００°の間（メカ的保持区間）では、カム面の半径方向の長さが変らず、後幕レバー４８３は後幕マグネット４８５と接する位置を保持する。先幕の場合には、１８０°から２４０°であったが、後幕の場合には、同一のシャッタモータ４５１から駆動源を得ていることから、それぞれの駆動タイミングを異ならせるために、ギア回転角を異ならせている。後幕カム４６１が更に回動し、３００°から３３０°の間（レバー退避区間）では後幕レバー４８３は時計方向に回動し、後幕マグネット４８５から離間する方向に移動する。そして、カムギア４５９、後幕チャージレバー４８１または後幕レバー４８３等の動きを検出可能な位置に、後幕ＰＩ（フォトインタラプタ）が配置されている。図１５に示すように、先幕カム４５５が上死点を過ぎた辺り（１９０°）に達すると、後幕ＰＩは立下り信号を出力し、下死点３３０°に達すると後幕ＰＩは立ち上がり信号を出力する。従って、後幕ＰＩは、メカ的保持区間に入ったときと、出るときにそれぞれ信号を出力する。
【００７６】
このように、第２実施形態においては、一つのシャッタモータ４５１を配置し、メカ的保持区間を、先幕に対しては１８０°から２４０°の区間を、また後幕に対しては１８０°から３００°の区間を割り当てており、この区間の相違を利用して撮影時のシャッタ駆動を行っている。
【００７７】
次に、第２実施形態の動作について説明する。前述したように図１０に示すパワーオンリセットと図１１に示す撮影動作のルーチンは、第２実施形態においても同じであるので、相違点のみ説明する。まず、図１６に示すシャッタ開のサブルーチンに入ると、シャッタモータ４５１をオンとし（Ｓ３０１）、駆動を開始する。このサブルーチンを行うときには、図１５の先幕カムのリフト量はメカ的保持区間にあり、ほぼ上死点の先幕はチャージ状態にある。この状態で、シャッタモータ４５１がオンすると、先幕マグネット４７５には通電されていないので、先幕カム４５５のレバー退避区間とバネ４７９の付勢力によって、先幕レバー４７３は先幕マグネット４７５から退避する方向に回動する。また、ギア４５７を介してカムギア４５９と後幕カム４６１も回動するが、後幕カム４６１の２４０°から３００°までは後幕メカ保持区間にあるため、この区間では、シャッタモータ４５１が回転しても、後幕チャージレバー４８１および後幕レバー４８３は回動することはない。
【００７８】
シャッタモータ４５１のオンに引き続いて、先幕ＰＩの出力を入力し（Ｓ３０３）、立ち上がり信号を検出すると（Ｓ３０５）、シャッタモータ４５１をオフし２７０°〜３００°の間で停止させる。すなわち、図１５に示すように、先幕ＰＩの立ち上がり信号は、レバー退避区間が終了したことを示している。ステップＳ９の実行時には、シャッタ後幕は後幕レバー４８３がメカ的保持区間にあり、またこのサブルーチンの実行中は、後幕マグネット４７５に通電されていなくても、後幕チャージ状態を保持しており、シャッタ開口部から退避した状態にある。そして、ステップＳ３０５において、先幕レバー４７３が退避しシャッタ先幕が走行終了したことから、シャッタ開口部は完全に開口状態となる。このためシャッタ開口部を覆うものがなくなり、被写体光束はＣＣＤ２２１上に入射する。ステップＳ３０７で先幕モータ４０１がオフすると、もとのルーチンに戻る。
【００７９】
次に、第２実施形態におけるシャッタ閉のサブルーチン（ステップＳ３３、Ｓ３９、Ｓ４２、Ｓ４７、Ｓ２９（図６））について図１７を用いて説明する。このシャッタ閉のサブルーチンの開始時は、シャッタ先幕が走行終了した状態であり、図１５では先幕カムリフト量が下死点にある。このサブルーチンに入ると、シャッタモータ４５１をオンし（Ｓ３１１）、先幕カム４５５の先幕チャージ区間によって先幕レバー４７３を先幕マグネット４７５に吸着する方向に回動させる。この区間では先幕レバー４７３が回動することにより、シャッタ先幕は次第にシャッタ開口部を遮光する位置に移動していく。また、ギア４５７を介してカムギア４５９および後幕カム４６１も回動し、これに圧接する後幕チャージレバー４８１が回動することによって後幕レバー４８３も後幕マグネット４８５に接するようになり、後幕もチャージ状態となる。
【００８０】
次に、後幕ＰＩの出力を入力し（Ｓ３１３）、立ち下がり信号を検出すると（Ｓ３１５）、シャッタモータ４５１をオフし停止させる。すなわち、図１５に示すように、後幕ＰＩの立ち下がり信号は、メカ的保持区間に達したことを示しており、この状態では先幕マグネット４７５に通電を行わなくても、先幕レバー４７３は先幕マグネット４７５の吸着位置あり（実際には吸着されてはいない）、先幕はシャッタ開口部を完全に遮光する。このため、被写体光束はＣＣＤ２２１上に入射しなくなる。ステップＳ３１７でシャッタモータ４５１がオフすると、もとのルーチンに戻る。なお、本実施形態においては、ステップＳ３１３において後幕ＰＩを検出していたが、先幕ＰＩを検出しても勿論構わない。
【００８１】
本実施形態においては、シャッタ先幕とシャッタ後幕を、一つのシャッタモータ４５１によって駆動することができ、カメラ本体２０を小型化することができる。また、第１実施形態と同様に、それぞれのシャッタ幕の状態を保持するのに、シャッタマグネットを通電する必要がない。すなわち、チャージ状態をメカ的保持区間で機械的に保持するようにしている。このため、スルー画表示を行う際に、シャッタ先幕はシャッタ先幕走行後の状態で保持し（図１５の先幕リフト量では、上死点１８０°〜２４０°）、シャッタ後幕はメカ的保持区間（図１５の後幕リフト量では、上死点１８０°〜３００°の範囲）で後幕チャージ状態を保持することができる。この結果、スルー画表示の際に、シャッタ開放のために、後幕マグネットに通電し続けることが不要となり、電源電池の消耗を防止することができる。
【００８２】
次に、ステップＳ８５（図７）の第２実施形態における露光動作のサブルーチンについて図１８乃至図２０を用いて説明する。このサブルーチンに入ると、まず第１実施形態と同様に、レリーズ釦２１が全押しされている間、露光を行うバルブ撮影か否かの判定を行う（Ｓ３２１）。バルブ撮影が設定されていた場合には、図２０のステップＳ４３１にジャンプする。バルブ撮影が設定されていなかった場合には、ステップＳ３２３に進み、露光時間が４秒以上か否かを判定する。これはマニュアル等で４秒以上の長時間露光が設定されたか、ステップＳ７３における露光量演算の結果、４秒以上の長時間露光秒時が設定されたかを判定する。４秒以上の露光時間が設定されていた場合には、図１９のステップＳ３８１にジャンプする。なお、本実施形態においては、４秒以上か否かで判定するが、第１実施形態において説明したように、２秒、８秒等の秒時でも良く、概ね１秒を超える露光秒時であれば良い。
【００８３】
ステップＳ３２３において、４秒以上の長時間露光が設定されていなかった場合には、ステップＳ３２５に進み、先幕マグネット４７５および後幕マグネット４８５の両方に通電し、これによって先幕マグネット４７５は先幕レバー４１１を吸着し、後幕マグネット４８５は後幕レバー４８３を吸着する。続いてシャッタモータ４５１をオンし（Ｓ３２７）、先幕カム４５５および後幕カム４６１を回動させ、後幕ＰＩの信号を入力し（Ｓ３２９）、後幕ＰＩの立ち上がり信号を検出したら（Ｓ３３１）、シャッタモータ４５１をオフし、回転を停止する（Ｓ３３３）。この一連の動作によって、先幕レバー４７３は先幕マグネット４７５によって吸着保持され、先幕チャージレバー４７１は先幕レバー４７３から離間した状態となっている。この結果、先幕マグネット４７５の通電を解除すると、先幕レバー４７３は図１４において時計方向に回動し、シャッタ先幕は走行可能状態となっている。同様に、後幕レバー４８３は後幕マグネット４８５によって吸着保持され、後幕チャージレバー４８１は後幕レバー４８３から離間した状態となっている。この結果、後幕マグネット４８５の通電を解除すると、後幕レバー４７３は図１４において時計方向に回動し、シャッタ後幕は走行可能状態となっている
【００８４】
続いて、露出時間計時タイマをスタートさせると共に（Ｓ３４５）、先幕マグネット４７５の通電を解除し、シャッタ先幕の走行を開始させる（Ｓ３４７）。そして、露出時間計時タイマが計時完了したか判定し（Ｓ３４９）、すなわちマニュアル設定された露光秒時または露光量演算によって設定された露光時間が経過したかを判定する。設定時間の計時動作が終了した場合には、露出時間計時タイマを停止し（Ｓ３５１）、後幕マグネット４８５の通電を解除し（Ｓ３５３）、シャッタ後幕の走行を開始させる。後幕走行完了に必要な時間（例えば１０ｍＳ程度）待ち（Ｓ３５５）、この時間が経過したらシャッタ先幕およびシャッタ後幕のチャージ動作を開始する。
【００８５】
シャッタ先幕および後幕のチャージ動作にあたって、まずシャッタモータ４５１をオンし、回転を開始させる（Ｓ３５７）。続いて、後幕ＰＩの出力を入力し（Ｓ３５９）、後幕ＰＩの立下り信号を検出したら（Ｓ３６１）、シャッタチャージが完了したので、シャッタモータ４５１をオフする（Ｓ３６３）。露光動作が終了すると、パワーオンリセットのルーチンに戻る。
【００８６】
次に、図１９を用いて、長時間露光秒時について説明する。ステップＳ３２３において、露光時間が４秒以上であると判定された場合には、ステップＳ３８１にジャンプし、このステップにおいて、先幕マグネット４７５に通電する。前述したように、露光動作に入る前にステップＳ４２において、シャッタ先幕のチャージ動作を完了しているので、先幕マグネット４７５に通電することにより先幕レバー４７３が吸着保持される。この後、先幕レバー４７３と係接している先幕チャージレバー４７１の退避動作を、ステップＳ３８３からＳ３８９において行う。すなわち、シャッタモータ４５１をオンし（Ｓ３８３）、回転駆動を開始させ、先幕ＰＩの出力を入力し（Ｓ３８５）、先幕ＰＩの立ち上がり信号を入力したら（Ｓ３８７）、シャッタモータ４５１をオフさせる（Ｓ３８９）。先幕ＰＩを検出し、その立ち上がり信号でシャッタモータ４５１を停止させているので、図１５の先幕カムリフト量としては２７０°で停止させることになる。これによって、先幕マグネット４７５の通電が解除されるとシャッタ先幕の走行開始が可能となる。
【００８７】
次に、第１実施形態と同様に、露出時間から１秒を減算した露出時間を演算し、この時間を計時タイマにセットして、タイマをスタートさせ（Ｓ３９１）、その後、直ちに先幕マグネット４７５の通電を解除してシャッタ先幕の走行を開始させる（Ｓ３９３）。第１実施形態と同様に第２実施形態の長時間露光でも、後幕チャージレバー４８１を退避させて後幕走行可能となるまでに必要な時間（本実施形態においても１秒）を考慮し、先にシャッタ先幕を走行させてから、シャッタ後幕開始前に後幕チャージレバー４８１の退避動作を行うようにしている。したがって、本実施形態における１秒の代わりに、露出秒時＞ｘ＞後幕の駆動時間（準備時間）となる時間ｘを設定するようにしても勿論構わない。シャッタ先幕が走行すると、ＣＣＤ２２１上に被写体像が結像し、撮像が行われる。即ち、撮像時には、図１５の先幕カムリフト量としては２７０°〜３００°の区間を使用して、先幕を走行させるとともに、後幕チャージ状態を保持するようにしている。
【００８８】
ステップＳ３９５において、計時タイマの計時動作が完了すると、続いて計時タイマにて１秒間の計時動作をスタートさせる。その後直ちに後幕マグネット４８５に通電し、後幕レバー４８３を吸着保持させる。この後、後幕レバー４７３と係接している後幕チャージレバー４７１の退避動作を、ステップＳ４０１からＳ４０７において実行する。すなわち、シャッタモータ４５１をオンし（Ｓ４０１）、回転駆動を開始させ、後幕ＰＩの出力を入力し（Ｓ４０３）、後幕ＰＩの立ち上がり信号を入力したら（Ｓ４０５）、シャッタモータ４５１をオフさせる（Ｓ４０７）。これによって、後幕マグネット４７５の通電が解除されるとシャッタ後幕の走行開始が可能となる。この後、１秒間を計時していた計時タイマの計時動作完了を検出したら（Ｓ４０９）、計時タイマをストップし（Ｓ４１１）、図１８のステップＳ３５３にジャンプし、シャッタ後幕の走行開始等の動作を行う。
【００８９】
このように、第２実施形態における長時間露光秒での撮影動作においても、先にシャッタ先幕の走行を開始させ、走行後に後幕カム４６１と係接する後幕チャージレバー４７１の退避動作を行うようにしている。このため先幕走行開始までのタイムラグを短くすることができる。なお、本実施形態においては、後幕チャージレバー４２９の退避時間等の後幕走行準備を１秒間としてステップＳ３９１において、１秒間を減算したが、この時間はシャッタ駆動機構によって最低限必要とする時間以上であれば良い。
【００９０】
また、第２実施形態においては、先幕カム４５５と後幕カム４６１の両カムの先幕メカ的保持解除区間と後幕メカ的保持解除区間のタイミングのズレを利用して、短時間露光時と長時間露光時を切換えている。このため、長時間露光時でも、後幕保持のための後幕マグネット４８５に吸着保持するための電流の通電時間を短くすることができ、電源電池の消耗を抑えることができる。
【００９１】
次に、図２０を用いて、第２実施形態におけるバルブ秒時について説明する。ステップＳ３２１において、バルブ撮影であると判定された場合には、ステップＳ４３１にジャンプし、このステップにおいて、先幕マグネット４７５に通電する。これによって、先幕レバー４７３が吸着保持される。この後、先幕レバー４７３と係接している先幕チャージレバー４７１の退避動作を、ステップＳ４３３からＳ４３９において行うが、この動作は前述のステップＳ３８３からＳ３８９と同様であるので、説明は省略する。これによって、先幕マグネット４１７の通電が解除されるとシャッタ先幕の走行開始が可能となる。
【００９２】
続いて、先幕マグネット４７５の通電を解除して（Ｓ４４１）、シャッタ先幕の走行を開始させる。バルブ撮影においては、レリーズ釦２１が全押しされている時間の間のみ、シャッタ開放状態としているので、ステップＳ４４３において、レリーズ釦２１の２Ｒがオフ、すなわち、撮影終了を検出したら、シャッタの閉じ動作を開始する。シャッタの閉じ動作にあたって、まず、後幕マグネット４８５に通電し、後幕レバー４８３の吸着保持を行う。後幕レバー４８３に係接している後幕チャージレバー４８１の退避動作を、ステップＳ４４７からＳ４５３において行う。この退避動作はステップＳ４０１からＳ４０７と同様であるので、説明は省略する。ステップＳ４５３において、シャッタモータ４５１をオフさせると、図１８のステップ３５３にジャンプし、シャッタ後幕の走行開始等の動作を行う。これらの一連のバルブ撮影動作が終了すると、パワーオンリセットのルーチンに戻る。
【００９３】
以上、説明したように本発明の第１及び第２の実施形態においては、シャッタ先幕とシャッタ後幕はそれぞれ独立して動作可能であり、スルー画表示をメカ的保持区間（図５ではメカ的保持区間、図１５ではスルー画区間）で行うようにした。そして、このメカ的保持区間では、シャッタ後幕を後幕マグネット４３７、４８５で保持するのではなく、後幕カム４２７、４６１と後幕チャージレバー４２９、４８１等によって保持するようにしたので、後幕マグネット４３７、４８５を吸着保持するための消費電流が必要でなく、電源電池の消耗を低減することができる。
【００９４】
なお、第１および第２実施形態においては、撮像素子としてのＣＣＤ２２１は可動ハーフミラー２０１の透過光を受光し、測距／測光センサ２１７は可動ハーフミラー２０１の反射光を受光していたが、これとは逆にＣＣＤ２２１は反射光を、測距／測光センサ２１７は透過光を受光するように構成しても良い。また、可動ハーフミラー２０１を用いてＣＣＤ２２１と測距／測光センサ２１７に被写体光束を分割していたが、全反射ミラーを用いて必要時にそれぞれ被写体光束を導くようにしても勿論構わない。
【００９５】
さらに、第１および第２実施形態においては、撮像素子はＣＣＤ２２１のみであったが、これに限らず、別の撮像素子をファインダ光学系中に配置し、記録用の撮像素子とファインダ光学系中の撮像素子の出力の両方またはいずれかを切り換えてスルー画表示するものにも適用できる。
【００９６】
第１および第２実施形態においては、本発明を一般的なデジタルカメラに適用したものであったが、これに限らず、携帯等の各種装置内の撮影装置でもよく、またベローズ、エクステンションチューブ等を装着するものでも良く、さらに顕微鏡、双眼鏡等の各種装置に取り付けられる専用カメラにも適用できることは勿論である。本発明は、一般的なデジタルカメラに限らず、撮像素子の出力を用いてスルー画表示するデジタルカメラであれば適用できる。
【図面の簡単な説明】
【００９７】
【図１】本発明の第１実施形態におけるデジタルカメラを背面から見た外観斜視図である。
【図２】本発明を適用した第１実施形態におけるデジタルカメラの電気系の全体構成を示すブロック図である。
【図３】本発明の第１実施形態におけるシャッタ駆動機構の部品構成を示す斜視図である。
【図４】本発明の第１実施形態におけるシャッタ駆動機構の構成を示す平面図である。
【図５】本発明の第１実施形態における、（Ａ）先幕カムのリフト量と先幕ＰＩの信号出力関係を、（Ｂ）後幕カムのリフト量と後幕ＰＩの信号出力の関係を示す図である。
【図６】本発明の第１実施形態におけるパワーオンリセットの動作を示すフローチャートである。
【図７】本発明の第１実施形態における撮影動作のフローチャートである。
【図８】本発明の第１実施形態におけるシャッタ開のフローチャートである。
【図９】本発明の第１実施形態におけるシャッタ閉のフローチャートである。
【図１０】本発明の第１実施形態における露光動作のフローチャートである。
【図１１】本発明の第１実施形態における露光動作のフローチャートである。
【図１２】本発明の第１実施形態における露光動作のフローチャートである。
【図１３】本発明の第２実施形態におけるシャッタ駆動機構の部品構成を示す斜視図である。
【図１４】本発明の第２実施形態におけるシャッタ駆動機構の構成を示す平面図である。
【図１５】本発明の第２実施形態における先幕カムおよび後幕カムのリフト量と先幕ＰＩおよび後幕ＰＩの信号出力の関係を示す図である。
【図１６】本発明の第２実施形態におけるシャッタ開のフローチャートである。
【図１７】本発明の第２実施形態におけるシャッタ閉のフローチャートである。
【図１８】本発明の第２実施形態における露光動作のフローチャートである。
【図１９】本発明の第２実施形態における露光動作のフローチャートである。
【図２０】本発明の第２実施形態における露光動作のフローチャートである。
【符号の説明】
【００９８】
１０  レンズ鏡筒
２０  カメラ本体
２１  レリーズ釦
２３  パワースイッチレバー
２６  背面液晶モニタ
２９  ファインダ内液晶モニタ
３３  ファインダ接眼部
１０１ａ、１０１ｂ  レンズ
１０３  絞り
１１１  レンズＣＰＵ
２０１  可動ハーフミラー
２０３  シャッタ
２０５  防塵フィルタ
２０７  圧電素子
２０９  赤外カットフィルタ
２１０  光学的ローパスフィルタ
２１５  可動ミラー駆動機構
２１７  測距／測光センサ
２１９  測距／測光処理回路
２２１  ＣＣＤ
２２７  画像処理回路
２２９  ボディＣＰＵ
２５３  スイッチ検出回路
２５５  各種スイッチ
２５７  パワースイッチ
２５９  着脱検知スイッチ
２６１  データバス
４０１  先幕モータ
４０５  カムギア
４０７  先幕カム
４０９  先幕チャージレバー
４１１  先幕レバー
４１７  先幕マグネット
４２１  後幕モータ
４２３  ギア
４２５  カムギア
４２７  後幕カム
４２９  後幕チャージレバー
４３１  後幕レバー
４３７  後幕マグネット
４５１  シャッタモータ
４５３  カムギア
４５５  先幕カム
４５９  カムギア
４６１  後幕カム
４７１  先幕チャージレバー
４７３  先幕レバー
４７５  先幕マグネット
４８１  後幕チャージレバー
４８３  後幕レバー
４８５  後幕マグネット
【図３】
2008011358.tif 000003
【図４】
2008011358.tif 000004
【図１３】
2008011358.tif 000005
【図１４】
2008011358.tif 000006
【図１】
2008011358.tif 000007
【図２】
2008011358.tif 000008
【図５】
2008011358.tif 000009
【図６】
2008011358.tif 000010
【図７】
2008011358.tif 000011
【図８】
2008011358.tif 000012
【図９】
2008011358.tif 000013
【図１０】
2008011358.tif 000014
【図１１】
2008011358.tif 000015
【図１２】
2008011358.tif 000016
【図１５】
2008011358.tif 000017
【図１６】
2008011358.tif 000018
【図１７】
2008011358.tif 000019
【図１８】
2008011358.tif 000020
【図１９】
2008011358.tif 000021
【図２０】
2008011358.tif 000022